(57)【要約】電気を電灯に導くためのデバイスが設計され、デバイスは、電源において利用可能な電気エネルギーの関数として、電灯に送られる電力の量を下方に調整する。そうするとき、電源において利用可能なエネルギーの減少は、あまり比例的でない電灯の光度の減少を引き起こす。これは、電灯までの途中にある、抵抗とダイオードの受動ネットワークを介して電気を渡すことによって達成することができる。一例では、電気エネルギー源は、１つまたは複数のソーラパネルによって給電されるバッテリとすることができる。その場合、デバイスは、バッテリが過剰に充電されることを防止する機能を実行することもできる。それは、利用可能なバッテリエネルギーが最大容量に近い場合、ソーラパネルから充電される１日分の電気のそれよりも大きい、電灯で消費される１日分のエネルギーを下方に導く。
2015505125.tif 000002
【特許請求の範囲】
【請求項１】
エネルギー消費伝送回路が電気エネルギー源および電灯に結合されるときに、電力を前記電気エネルギー源から前記電灯に選択的に伝送するように構成されたエネルギー消費伝送回路を備え、
前記エネルギー消費伝送回路が電力を前記電気エネルギー源から前記電灯に伝送するときに、前記電気エネルギー源において利用可能なエネルギーの減少が、あまり比例的でない前記電灯の光度の減少を引き起こすように、デバイスが、前記エネルギー消費伝送回路を通して供給される電力の量を、前記電気エネルギー源において利用可能な前記エネルギーの関数として、下方に調整するように構成されることを特徴とするデバイス。
【請求項２】
前記デバイスが、前記電灯内の複数の受動構成要素からなる受動ネットワークを使用することによって、前記エネルギー消費伝送回路を通して供給される電力の前記量を調整するように構成されることを特徴とする請求項１に記載のデバイス。
【請求項３】
前記複数の受動構成要素が、複数の発光ダイオードを含むことを特徴とする請求項２に記載のデバイス。
【請求項４】
前記複数の受動構成要素が、複数の抵抗を含むことを特徴とする請求項２に記載のデバイス。
【請求項５】
前記関数が、ステップ関数を含むことを特徴とする請求項１に記載のデバイス。
【請求項６】
前記関数が、連続関数を含むことを特徴とする請求項１に記載のデバイス。
【請求項７】
電気エネルギー源が、バッテリであることを特徴とする請求項１に記載のデバイス。
【請求項８】
前記関数が、前記バッテリの端子電圧の関数であることを特徴とする請求項７に記載のデバイス。
【請求項９】
エネルギー収集伝送回路が電気エネルギー源および前記バッテリに結合されるときに、電力を前記電気エネルギー源から前記バッテリに伝送するように構成されたエネルギー収集伝送回路をさらに備えることを特徴とする請求項７に記載のデバイス。
【請求項１０】
前記エネルギー収集伝送回路に結合される前記電気エネルギー源が、ソーラパネルであることを特徴とする請求項９に記載のデバイス。
【請求項１１】
前記エネルギー消費伝送回路に結合された前記電灯をさらに備えることを特徴とする請求項１に記載のデバイス。
【請求項１２】
前記電灯が、発光ダイオード（ＬＥＤ）電灯であることを特徴とする請求項１に記載のデバイス。
【請求項１３】
前記電灯が、高所に設置された街灯であることを特徴とする請求項１に記載のデバイス。
【請求項１４】
電灯を作動させるための方法であって、
電灯が電気を消費しているときに、電気を電気エネルギー源から前記電灯に導く工程と、
前記電気エネルギー源において利用可能なエネルギーの減少が、あまり比例的でない前記電灯の光度の減少を引き起こすように、前記電灯に送られる電力の量を、前記電気エネルギー源において利用可能な前記エネルギーの関数として、下方に調整する工程と
を含むことを特徴とする方法。
【請求項１５】
前記関数が、前記バッテリの端子電圧の関数であることを特徴とする請求項１４に記載の方法。
【請求項１６】
前記電灯が、発光ダイオード（ＬＥＤ）電灯であることを特徴とする請求項１４に記載の方法。
【請求項１７】
前記電灯が、高所に設置された街灯であることを特徴とする請求項１４に記載の方法。
【請求項１８】
前記電気エネルギー源が、バッテリであることを特徴とする請求項１４に記載の方法。
【請求項１９】
ソーラパネルが発電しているときに、電気を前記ソーラパネルから前記バッテリに導く工程をさらに含むことを特徴とする請求項１８に記載の方法。
【請求項２０】
電気エネルギー源端子と、
電灯と、
エネルギー消費伝送回路が電気エネルギー源および前記電灯に結合されるときに、電力を前記電気エネルギー源端子から前記電灯に選択的に伝送するように構成されたデバイスであって、前記電気エネルギー源において利用可能なエネルギーの減少が、あまり比例的でない前記電灯の光度の減少を引き起こすように、前記電灯に供給される電力の量を、前記電気エネルギー源において利用可能な前記エネルギーの関数として、下方に調整するようにさらに構成されるデバイスと
を備えることを特徴とする電灯システム。
【発明の詳細な説明】
【技術分野】
【０００１】
本発明は、電灯に電気を供給する技術に関する。
【背景技術】
【０００２】
太陽光発電街灯が、商業利用されている。太陽光発電街灯は、太陽から太陽エネルギーを光の形態で受け取る。光の光子は、ソーラパネルによって電気に変換される。バッテリシステムが、電気エネルギーを貯蔵し、それは、暗い状態の間（例えば、夜間または曇りのときに）、街灯に給電するために使用され得る。
【０００３】
従来の商用太陽光発電街灯は、雨天が３日連続しても、照明を提供できることを目標にしている。しかし、既存の商用太陽光発電街灯は、雨天が３日連続した場合、あるごく普通の一般的な状況下で、照明を維持できなくなる。したがって、そのような太陽光発電街灯が立ち並ぶ街路は、しばしば暗いままである。
【発明の概要】
【発明が解決しようとする課題】
【０００４】
発明者らは、この難点の根本原因である主要な問題を明らかにし、その後、本特許開示において開示されるような、この問題を克服するシステム設計を発明するための研究を行った。
【課題を解決するための手段】
【０００５】
本明細書で説明される少なくとも１つの実施形態は、電灯が電気を消費しているときに、電気エネルギー源から電灯に電気を導くためのデバイスに関し、そうするときに、電気エネルギー源において利用可能なエネルギーの関数として、電灯に送られる電力の量を下方に調整する。そうするとき、電気エネルギー源において利用可能なエネルギーの減少は、あまり比例的でない（less proportionate）電灯の光度の減少を引き起こす。これは、デバイスの電力消費を削減する、電気エネルギー源から電灯までの途中にある、抵抗とダイオードの受動ネットワークを介して電気を渡すことによって達成することができる。一例では、電気エネルギー源は、１つまたは複数のソーラパネルによって給電されるバッテリとすることができる。その場合、デバイスは、ソーラパネル（複数可）からバッテリまで電気を導くこともできる。
【０００６】
この要約は、以下の発明を実施するための形態においてさらに説明される概念から一部を抜粋して簡潔な形で紹介するために提供される。この発明の要約は、特許請求される主題の主要な特徴または必須の特徴を識別することは意図しておらず、特許請求される主題の範囲を決定する助けとして使用されることも意図していない。
【０００７】
上述および他の利点および特徴が獲得され得る方法を説明するために、様々な実施形態のより具体的な説明が、添付の図面を参照して行われる。これらの図面が実施形態のサンプルを示すにすぎないこと、したがって、本発明の範囲を限定するものと見なされるべきではないことを理解したうえで、添付の図面を使用して、実施形態が、さらに具体的かつ詳細に記述され、説明される。
【図面の簡単な説明】
【０００８】
【図１】本明細書で説明される原理による、ソーラパネル電灯システムを抽象的に示す図である。
【図２】発光ダイオード（電灯）応答の一例を示す図である。
【図３】コントローラによって電灯に供給されるエネルギーが、バッテリ内の残存する利用可能な電気エネルギーの関数として、どのように低減され得るかについてのステップ関数の一例を示す図である。
【図４】コントローラによって電灯に供給されるエネルギーが、バッテリ内の残存する利用可能な電気エネルギーの関数として、どのように低減され得るかについての連続関数の一例を示す図である。
【図５】バッテリ内の残存する利用可能な電気エネルギーが減少したときに、削減された量の電力を電灯に供給するために使用され得る、抵抗とダイオードの受動ネットワークの一例を示す図である。
【発明を実施するための形態】
【０００９】
本明細書で説明される原理は、ダイオードと抵抗との受動ネットワークを潜在的に含む電灯に給電するための技術に関する。電灯設計は、同じソーラパネルおよびバッテリが与えられた場合でも、商用電灯と比較して、より長い一連の連続する雨の日にわたって、増加した照明持久力を可能にする、（制御ボックスなどの）システム制御ユニットをさらに含む。
【００１０】
電灯は、バッテリ内の利用可能な貯蔵エネルギーの全範囲にわたって作動させることができる。バッテリの貯蔵エネルギーが減少するにつれて、必要とされる明るさを上回る照明を依然として維持しながら、システムの電力消費が削減され、システム効率（system efficacy）が高められる。言い換えると、新規なシステムは、バッテリ貯蔵エネルギーが枯渇していくにつれて、連続的に（または段階的に）効率を向上させることができる。
【００１１】
太陽光発電電灯は、太陽が発する大量の光子がソーラパネルに入射する日当たりの良い状態（以降本明細書では「晴れの日」と呼ばれる）のときは、ソーラパネルを使用してバッテリを充電する。しかし、太陽が発する光子が僅かしか、またはまったくソーラパネルに入射しない暗い状態も存在する。例えば、夜間には確かに暗い状態が存在するうえ、暗い状態は、明け方、夕暮れ、または空を覆う雲、靄、スモッグ、雨、霧、もしくは他の任意の妨害物が、太陽エネルギーの多くがソーラパネルに達するのを妨げる、太陽が閉ざされた日（以降本明細書では「暗い夜または日」または「雨の日」と呼ばれる）にも存在し得る。
【００１２】
暗い日は、天候パターン、季節、および地球上の地域に応じて、ある程度の頻度で発生する。そのため、これを考慮して、太陽光発電電灯は、（例えば、暗い日が連続して）日照がなくても、一定の約束された期間の間は、数夜にわたって照明を維持することになっている。現在、多くの商用太陽光発電電灯の供給業者が約束する期間は、３日連続の暗い日である。しかし、発明者らによって行われた（以下でより詳細に説明される）研究によれば、既存の商用太陽光発電街灯は、ごく普通の一般的に遭遇されるシナリオの下で、暗い日が３日連続した場合、照明を維持できなくなる。
【００１３】
太陽光電灯システムは、４つのサブシステムを含み、４つのサブシステムは、１）太陽が発する光子を受け取り、対応する光子エネルギーの一部を電気に変換するソーラパネルと、２）ソーラパネルによって発電された電気を受け取り、貯蔵するバッテリと、３）電灯が光を発するときに、バッテリからの電気を消費する電灯と、４）電灯をいつオンにし、いつオフにするかを制御し、過充電または過放電状態からバッテリを保護するコントローラとを含む。本明細書で説明される原理によれば、本発明の受動ネットワークと組み合わせて電灯を構築した場合、コントローラは、単に上で述べられた機能を実行するばかりでなく、電灯がオンのときに、どれだけの電力が電灯に供給されるかも制御する。
【００１４】
電灯および関連するコントローラを、本明細書で説明される本発明の原理による実施形態で置き換えた場合、太陽光発電電灯システムは、最大バッテリ貯蔵容量から始めたときは、暗い日が３日連続して生じても、最初の３夜は、改善された（商用仕様よりも優れた）照明の明るさを提供することができる。その後、さらなる３夜は、都合６日連続して太陽エネルギー入力がまったくなくても（すなわち、暗い日が６日連続して生じても）、電灯システムは、（商用仕様で）必要とされる明るさを上回る照明を依然として保つことができる。さらに、これは、いくつかの実施形態では、商用システムと比較して、低コストで行うことができる。
【００１５】
最適化された場合、システムコストを商用太陽光発電街灯のそれを下回るように制限しながら、本明細書で説明される太陽光発電電灯システムのある実施形態は、暗い日が９日よりも長く連続して生じても、暗い状態の間、必要とされるレベルを上回る光を提供し続けながら、光を維持することができる。そのような実施形態は、最初の３日間は、商用システムよりも良好な明るさを提供することができる。システムは、その後、暗い日がさらに６日連続しても、暗い状態の間、光を絶やさずに、（前日と比較して）９０パーセントを超える明るさで提供し続ける。さらに、このシステムは、１０日目に有効な日照がたかだか４時間あるだけで、暗い日がさらに３日連続して生じても、さらに３夜よりも長く照明を提供するまで回復する。
【００１６】
本明細書で説明される少なくともいくつかの実施形態に従って得られる太陽光発電街灯は、価格が非常に手ごろであり、優れた性能も提供する。したがって、本明細書で説明される実施形態は、他の多くの応用の中でも、性能が優れた、コスト効率の良い太陽光発電街灯を提供することができる。
【００１７】
研究
発明者らは、既存の商用太陽光発電街灯が、ある非常に現実的で普通の容易に遭遇するシナリオの下では、暗い日が３日連続するといつでも、照明を維持できなくなることを示す研究を行った。この研究は、自然と、商用太陽光電灯の設計パラメータとを考慮し、その後、通常の太陽光発電街灯運転についてのいくつかの普通の容易に遭遇するシナリオにおいて、これらの太陽光電灯を検査した。研究は、現実的なシナリオの下で、暗い日が３日連続すると、現在の商用太陽光発電電灯が持続できなくなることの裏に潜む主要な理由を明らかにしている。
【００１８】
太陽光発電電灯は、ソーラパネルを使用して、晴れた日中にバッテリを充電する。その後、バッテリから放電し、電灯を駆動して、暗い夜を照明する。したがって、日照および照明を必要とする暗い時間などに関する以下の自然データが、一般に使用されるソーラパネル、バッテリ、および制御ボックスの特性とともに評価された。
【００１９】
太陽光発電電灯を設置するのに適した場所のほとんどでは、平均的な１日当たりの有効日照は、季節に応じて、３時間から４．５時間の範囲にある。これらの場所では、（暗さが原因で）必要とされる照明時間は、１日８時間から１４時間にわたった。また、より長い照明が必要になる季節は、しばしば、より短い有効日照時間と関連があった。したがって、スタンドアロンシステムの設計は、一般に、約１２時間の照明の電灯消費（および制御ボックスは連続的に動作するので、２４時間の制御ボックス動作）を賄い得るエネルギーをバッテリに充電するために、ソーラパネルを約４時間太陽光に晒すことを必要とする。
【００２０】
商用システムでは、ソーラパネルから変換された電気エネルギーは、通常、「１２ボルト」バッテリに貯蔵される。いわゆる「１２ボルト」バッテリは、１３．６ボルト付近とすることができる最大端子電圧（Ｖｘ）から１０．５ボルト付近とすることができる最小端子電圧（Ｖｎ）までの正常範囲内で操作される。（Ｖｘよりも高くなるまで過剰にバッテリを充電する、またはＶｎより低くなるまでバッテリを放電させる）異常操作は、バッテリを損傷して、その寿命を短くすることがあり、不必要な出費が必要になる。したがって、バッテリを過剰に充電する、または過剰に放電させる異常操作は、望ましくなく、それらは推奨されていない。したがって、商用システムは、バッテリ端子電圧を常に検査して、それがＶｘに達した場合には太陽光充電をオフにし、それがＶｎに達した場合には電灯をオフにするための、制御ユニットを設計する。
【００２１】
バッテリのエネルギー貯蔵容量Ｂｘは、アンペア時を単位に測定される（例えば、Ｂｘ＝１５０アンペア時）。エネルギー貯蔵容量Ｂｘは、バッテリからの（アンペアを単位とする）出力電流の（時間を単位とする）時間積分として定義され、その間に、バッテリの端子電圧は、最大端子電圧Ｖｘから最小端子電圧Ｖｎまで減弱される。エネルギーは、アンペア時が取り出されたときの端子電圧がどれだけであったかに依存するので、アンペア時ごとにバッテリの異なるエネルギー量を表すことに留意されたい。さらに、１つ１つのバッテリの化学電気エネルギー変換の内部抵抗は異なり得るので、異なるバッテリは、同じ端子電圧であっても、アンペア時ごとに僅かに異なるエネルギー量を貯蔵することがある。したがって、（ワット時が）同じエネルギー消費でも、同じバッテリの異なる端子電圧においては、アンペア時の値は僅かに異なる。言い換えると、エネルギー消費は、バッテリが異なると同じ端子電圧でも、アンペア時の値が正確に同じにはならない。
【００２２】
いくつかの設計パラメータが、今から定義される。（照明、動作制御、および非効率を含む）１日当たりのシステムエネルギー消費は、「Ｄ」である。１日当たりの最小システムエネルギー消費は、「Ｄｎ」である。１日当たりの最大エネルギー消費は、「Ｄｘ」である。ソーラパネル出力から変換され、バッテリに貯蔵される１日当たりの電気エネルギーは、「Ｓ」である。１日当たりの有効日照が４時間である場合のその平均値は、「Ｓａ」であり、一方、その最大値は、「Ｓｘ」であり、その最小値は、０である。バッテリに貯蔵されている電気エネルギーは、「Ｂ」である。最小バッテリエネルギー「Ｂｎ」は、バッテリに貯蔵されている最小エネルギーであり（すなわち、Ｂｎ＝０）、それは、バッテリ端子電圧Ｖが、その最小値Ｖｎにあるときに生じる。最大バッテリエネルギー「Ｂｘ」は、バッテリ端子電圧Ｖが、その最大値Ｖｘにあるときに、バッテリに貯蔵されているエネルギーである。Ｂｘは、バッテリの容量とも呼ばれる。商業上、Ｂｘは、アンペア時を単位として表される。したがって、本明細書で提示されるすべてのエネルギー単位（Ｂ、Ｓ、またはＤ）は、別段の指摘がない限り、使用されるバッテリのアンペア時に変換される。
【００２３】
今日、ソーラパネルは、第１のコスト推進要因であり、（ソーラパネル、バッテリ、電灯、およびコントローラを含む）４つのソーラパネルサブシステムの中で最も高価である。したがって、商用太陽光電灯システムは、システムの値ごろ感を最大化するために、ソーラパネルの使用を最低限に抑えて設計される。既存の商用太陽光発電電灯システムはすべて、１．１５Ｄｘ＞Ｓａ＞１．１Ｄｘを使用する。言い換えると、パネルサイズは、１日の最大エネルギー消費（「Ｄｘ」）の１１５パーセントよりは確実に少ないが、１日の最大エネルギー消費（「Ｄｘ」）の１１０パーセントよりも大きい電気エネルギー（「Ｓａ」）を提供するのに十分なところまでバッテリを充電するには、１日の有効日照で足りるほど、十分に大きい。
【００２４】
今日、バッテリは、４つの太陽光電灯サブシステムの中の第２のコスト推進要因である。ほとんどの商用太陽光電灯供給業者は、４Ｄｘ＞Ｂｘ＞３．３Ｄｘとなるように、最大バッテリ貯蔵容量Ｂｘを設計する。言い換えると、最大限充電されたバッテリは、最大エネルギー消費で、３．３日から４日にわたって、光を提供するのに十分である。いくつかの商用太陽光発電電灯設計業者は、最大バッテリ貯蔵容量Ｂｘを最大で７Ｄｘまで増加させた。
【００２５】
彼らは、また、照明電力消費「Ｐ」（すなわち、電灯を作動させるためにバッテリから取り出される電力の量）を一定に、または少なくとも端子電圧から独立に保つように、制御および照明サブシステム（例えば、電灯）を設計する。端子電圧Ｖは、バッテリに貯蔵されたエネルギーＢの関数であることを思い出されたい。したがって、（ワット時を単位とする）１日当たりのシステムエネルギー消費Ｄは、Ｄ＝（Ｐ×Ｔ）＋Ｏと表され、ここで、Ｔは、１日の照明時間（平均で約１２時間）であり、Ｏは、照明以外の（制御ボックスによって使用される）２４時間動作のエネルギー消費である。
【００２６】
以下は、既存の商用ソーラパネル設計の主要な特徴の要約である。
【００２７】
（Ｉ）（一晩中の照明および２４時間の制御ボックス動作を含む）１日当たりのシステム動作のエネルギー消費は、Ｄｘ＞Ｄ＝（Ｐ×Ｔ）＋Ｏワット時となるように設計され、ここで、Ｐ、Ｔ、およびＯは、上で定義されたものであり、Ｐは、ほぼ一定のワット数になるように設計される。
【００２８】
（ＩＩ）（有効日照日１日に、バッテリ充電のために、ワット時を単位として「Ｓ」の電気エネルギーを提供する）ソーラパネルサイズは、ワット時を単位として１．１５Ｄｘ＞Ｓａ＞１．１Ｄｘとなるように設計され、ここで、Ｓａは、上で定義されたものである。
【００２９】
（ＩＩＩ）（ソーラパネルからの電気エネルギーを貯蔵し、システム動作のために電気エネルギーを提供するために使用される）バッテリは、７Ｄｘ＞Ｂｘ＞３．３Ｄｘとなるように設計され、Ｂｘは、その最大容量である。
【００３０】
バッテリが、７Ｄｘ＞Ｂｘ＞３．３Ｄｘであるように設計された場合、１日当たりのエネルギー消費Ｄは、１日当たりの最大エネルギー消費ＤＸよりも少ないので、従来の設計は、雨の日が３日連続しても、動作を適切に保証できるとこれまでは考えられていた。しかし、いまから説明されるように、これは成り立たない。
【００３１】
事実は、日々の太陽光エネルギー入力から日々必要とされるエネルギー消費を差し引くと、任意の与えられた日において、貯蔵エネルギーを増加させるためにバッテリによって獲得できるエネルギーは、非常に僅かな量しか存在していない。通常動作の下では、余ったエネルギーを使用してバッテリをＢ＝０からＢ＝Ｂｘまで充電するのに必要とされる最少の連続する晴れの日は、（最小（Ｂｘ））／（（Ｓ−Ｄ）の最大残余）である。最小Ｂｘが３．３Ｄｘに等しく、（Ｓ−Ｄ）の最大残余が１．１５Ｄｘ−Ｄｎに等しいとすると、最少の晴れの日の式は、３．３Ｄｘ／（１．１５Ｄｘ−Ｄｎ）と表すことができる。しかし、この値は、３．３Ｄｘ／（１．１５Ｄｘ−Ｄｎ）にほぼ等しく、これは２２日である。通常、既存の商用製品では、バッテリが枯渇した後、最大エネルギー貯蔵を回復するまでバッテリ容量を充電するためには、２２日から５０日の通常の晴れの日を必要とする。これらの充電日の間のどこかに暗い日を１日追加すると、最大エネルギー貯蔵状態に達するまでに必要とされる回復時間にさらに少なくとも６日が加わる。（ロシアンルーレット法を使用する）統計規約（statistic code）を適用して、許容される最も楽天的な設計条件の下で、任意の動作中の明け方における残存バッテリ貯蔵エネルギーをシミュレートした場合、シミュレーション結果は、Ｂ＞（３Ｄ−Ｓｘ）となるのは稀な状況であることを示した。したがって、ほとんどの動作日の明け方にはＢ＜（３Ｄ−Ｓｘ）であると仮定しておけば非常に安全である。言い換えると、以下のシナリオ分析は、ほとんどのシステム動作時間（ごく普通で頻繁に遭遇される状況）に当てはまる。
【００３２】
最大に設計された商用バッテリの最大容量（Ｂｘ＝７Ｄｘ）が仮定される場合であっても、任意の与えられた日の明け方において残存するバッテリ貯蔵エネルギーＢが（３Ｄ−Ｍ＊Ｓｘ）のそれよりも少なくなる状況に、共同してシステムを到らしめることができる、多くの現実的な動作状況が常に存在し、ここで、Ｍ＝１またはＭ＝２である。システムは、翌日の日中が良好な平均的な晴れの日であり、その後に暗い日が３日以上連続するシナリオに遭遇することがある。そのようなシステムは、さらなる３夜に照明を提供することができない。
【００３３】
Ｍ＝１の場合、これは、Ｂ＝（３Ｄ−Ｓｘ）＜（３Ｄ−１．１５Ｄｘ）＜（３−１．１５）＊Ｄを与える。言い換えると、明け方における残存バッテリエネルギーは、１．８５日分の動作エネルギーよりも少ない。その後、ソーラパネルは、（翌日の晴れの日において）バッテリをＢ＝（３Ｄ−Ｓｘ＋Ｓａ）まで充電できるにすぎない。Ｓｘ＞Ｓａであるので、Ｂの値は、３日連続の雨の日の直前の３Ｄよりも確実に小さい。システムは、第３夜には一晩中は照明を絶対に提供することができない。
【００３４】
Ｍ＝２の場合、残存バッテリエネルギーは、明け方には０．７日の動作分よりも少なくなり得る。この場合、雨の日が３日連続している最中の第３夜には、照明がまったく行われない。
【００３５】
与えられた日の明け方に、または明け方前に、バッテリが枯渇した場合、電灯は、第１夜と第２夜の一部の間、照明を提供することができるが、第３夜には、照明がまったく行われない。
【００３６】
最悪のシナリオは、与えられた日の明け方に、または明け方前に、バッテリが枯渇し、その与えられた日の明け方後、まったく日照がないまま、３日よりも長く連続して雨の日が続いた場合である。その場合、夜間、まったく照明が行われない。
【００３７】
上述のシナリオは、ごく普通の日常的な一般的に遭遇される動作状況である。したがって、上述のシナリオ分析は、一定の照明電力が消費される設計の下では、最大に設計された商用バッテリ容量を使用した場合でも、現在設計されているソーラパネル再充電容量を有する商用太陽光発電電灯は、「いかなる３日連続の雨の日でも照明を維持する」という約束を果たせないことを明らかに示している。これは、バッテリが枯渇したとき以降、これらのシステムは、平均的な１日の日照があっても、（さらに３日ではなく）さらに約１日分の照明を提供するところまでしか回復できないからである。
【００３８】
上述の研究をさらに説明し、この問題の根本原因を明らかにするために、最悪の一例として市販製品を取り上げ、すなわち、（１３０Ｗのソーラパネルと、２つの１１０Ａｈｒのバッテリを備える）市販の街灯を購入したとする。この電灯は、約２８Ｗの一定の照明電力を用いて約１６００ルーメンの光出力を提供し、制御ボックスは、約６Ｗの平均電力を消費する。１日４時間の有効日照を変換する１３０Ｗのソーラパネルからバッテリに充電される平均エネルギー（Ｓａ）は、約４３．３Ａｈｒである。（１２時間の照明と、２４時間の制御ボックス動作とを行う）この街灯の１日のエネルギー消費は、約４０Ａｈｒである。（１日分の消費を差し引いた）太陽光からの正味のエネルギー増加は、約３．３Ａｈｒにすぎない。これは、この街灯の場合、１日の暗い日のエネルギー不足（約４０Ａｈｒ）を埋め合わせるのに、１２日よりも多くの連続した晴れの日が必要であることを意味する（１２×３．３Ａｈｒ＝３９．６Ａｈｒ）。枯渇状態から最大貯蔵までの回復期間は、２２０／３．３＝６６．７日の連続した晴れの日を必要とする。この街灯は、年間平均で４時間よりも長い有効日照があり、垂直に差す太陽光（normal sun light）を適切に受光するための開けた空間のある、中国の中央部に近い場所に設置された。それは、最大バッテリ容量から開始されたが、（２年よりも前に）２０日に満たない日数動作しただけで、最初の「枯渇バッテリ」状態に遭遇した。その後、この街灯は、晴れの日があるごとに、それに続く約１夜、光を提供し始め、そのとき以降、「暗い日が３日連続しても照明を維持する」という約束を果たすことは決してなかった。もちろん、この電灯は、２年よりも前に設置されて以降、さらに多くの「枯渇バッテリ」状態にも遭遇した。
【００３９】
３日連続の暗い日にわたって連続的に照明を行うという約束を果たすための１つの方法は、３倍の再充電電力を提供するために、ソーラパネルサイズを大きくすることである。その場合、毎日の太陽光発電入力は、晴れの日の明け方にバッテリが枯渇したとしても、３日分のシステムのエネルギー消費を確実に維持することができる。しかし、これは、法外なコストももたらし、値ごろ感が弱点になる。
【００４０】
研究の結論
上述の研究から、発明者らは、暗い日が３日よりも多く連続しても照明を維持するという約束を太陽光発電電灯が果たすためには、（１）システムが十分に大きなバッテリ容量（Ｂｘ＞３Ｄｘ）を有すること、（２）システムがＳａ＞３Ｄｘであるような十分に大きなソーラパネルを有すること、（３）Ｄｘが大幅に減少し得る僅かなレベルまで、制御ボックスが日々のエネルギー消費を減少させることという、３つの主要な要素が存在することを発見した。しかし、サブシステム（特にソーラパネルおよびバッテリ）のコストのために、市販製品におけるような「一定照明電力」設計に２つの要素を強要した場合、第３の要素の助けを自由に借りたとしても、結果のシステムは、必要とされる明るさは満たすが、法外なコストがかかることになり得るか、または手ごろ感は満たすが、十分な明るさを提供しないことになり得るかである。
【００４１】
本発明
発明者らは、商用システムと同じソーラパネルおよびバッテリを使用した場合でも、暗い日が長く連続したときに、（この問題を克服して）追加の照明持久力を提供するために、ＬＥＤ（チップ）および抵抗の受動ネットワーキングを備える新規なＬＥＤ電灯設計と、関連する制御ボックスとをさらに発明した。本発明のステップは、以下のように説明される。
【００４２】
Ｉ．ＬＥＤ電灯のＩ−Ｖ特性を成形するための受動ネットワーキング
試行錯誤を繰り返したが、発明者らは、ＬＥＤと抵抗の受動ネットワーキングを使用して、ＬＥＤ電灯のＩ−Ｖ特性を成形できることを発見した。我々は、ネットワーキングを、理論的に選択された（「望ましい」）Ｉ−Ｖ特性のいくつかと一致させることができることも見出した。言い換えると、第１のステップは、ＬＥＤと抵抗のネットワーキングを用いるＬＥＤ電灯のＩ−Ｖ特性の成形を発明することである。
【００４３】
ＩＩ．理論的な分析を介して望ましいＩ−Ｖ特性の識別
ＩＩ．Ａ  最大バッテリ貯蔵範囲内で動作させるためのＩ−Ｖの識別
理論的な分析を通して、発明者らは、端子電圧の範囲（例えば、「１２ボルトバッテリ」の場合は１０．５から１３．５ボルト）によって特徴付けられる、最大バッテリエネルギー貯蔵範囲内で電灯が動作することを可能にする、ＬＥＤ電灯の適切なＩ−Ｖ特性を識別した。これは、これらのＬＥＤ電灯が、バッテリの端子電圧Ｐ（ｖ）の関数として、電力消費を変化させることを意味する。
【００４４】
ＩＩ．Ｂ  バッテリ枯渇時に効率を改善するためのＩ−Ｖの識別
我々は、端子電圧がバッテリ電圧範囲を下回ったときに効率を単調に改善できるＩ−Ｖ特性のグループを獲得するために、さらに分析を行い、上で識別されたものの中から選択を行った。
【００４５】
ＩＩ．Ｃ  バッテリの過充電または過放電を防止するためのＩ−Ｖの識別
これらのＬＥＤ電灯は、バッテリ端子電圧の関数として、電力消費Ｐ（ｖ）を変化させるので、発明者らは、バッテリが最大エネルギー貯蔵状態（Ｂ＝Ｂｘ）にあるときに、１日に充電されるエネルギーすべてを消費する（Ｄ（Ｖｘ）＞Ｓｘ）、これらの電灯のＩ−Ｖをさらに識別した。したがって、それは、バッテリが過充電されることを防止する。
【００４６】
発明者らは、バッテリエネルギー貯蔵が枯渇状態に近いときに、ソーラパネルによって充電される１日のエネルギーの１／５よりも少ないエネルギーを消費する、これらの電灯のＩ−Ｖをさらに識別し、枯渇状態に近いほど、それは消費を少なくする。Ｄ（ｖ）の値は、ｖがｖ＝Ｖｎに近づいたときは、Ｄ（ｖ〜Ｖｎ）＜０．１Ｓａのように非常に低い。バッテリ枯渇状態においてエネルギー消費をゼロに近づけることは（Ｐ（Ｖｎ）＜１ワット）、バッテリが過放電されることを防止する。
【００４７】
ＩＩＩ．上述のすべての発明のＬＥＤ電灯設計への統合
次に、発明者らは、選択された「適切な」Ｉ−Ｖ曲線に一致させるために、ＬＥＤと抵抗の受動ネットワーキングを使用する電灯のＩ−Ｖ特性を成形した。さらに、この電灯が実際に最大バッテリエネルギー貯蔵範囲内で動作し得ることを検証するために、プロトタイプが構築された。システムは、上で必要とされた明るさを提供するために、バッテリエネルギー貯蔵が枯渇しつつあるときに、効率を改善することもできる。言い換えると、新規なシステムは、バッテリエネルギー貯蔵が枯渇しつつあるときに、効率を連続的に（または段階的に）改善することができ、その最大エネルギー貯蔵容量を利用することもできる。さらに、これらのプロトタイプは、バッテリの過充電または過放電を防止することが可能であることも検証した。
【００４８】
ＩＶ．僅かな量のエネルギーしか消費しない制御ボックスの設計
上で設計されたＬＥＤ電灯は、バッテリの過充電または過放電を防止する機能も提供することができるので、制御ボックスは、（かなりの量のエネルギーを消費する）従来の「バッテリ保護」任務から解放され得る。したがって、それは、我々が、ソーラパネルからバッテリに充電する（または充電しない）機能、照明のためにバッテリ電気をＬＥＤ電灯に放電する（または放電しない）機能を切り換えることのみを実行する、制御ボックスを設計することを可能にする。したがって、我々は、これらの２つの機能を実行するために、２つのラッチリレーを使用する、そのような制御ボックスを設計した。その場合、設計された制御ボックスは、照明持久力をさらに強化できる僅かな量のエネルギー（１日当たり０．００１アンペア時未満）しか消費しない。
【００４９】
Ｖ．システム設計の最適化
ネットワーク内の抵抗は、発光要素ではなく、それらは、照明に寄与することなく、エネルギーを消費する。したがって、発明者らは、すべての不必要な抵抗を取り除くために、ネットワークを精査した。したがって、それは、設計されたシステムの照明持久力をさらに強化する。さらに、発明者らは、許容される設計パラメータの空間を策定するために、統計規約シミュレーションを実行した。その結果は、サブシステムの整合を最適化するために我々を効果的に導き、システムのコストを最小化し、システムの性能を最大化する経路を提供する。
【００５０】
本発明を実施した結果
本明細書で説明される原理は、他方、コントローラおよび電灯を再設計する。結果として、システムは、そのエネルギー貯蔵が枯渇しつつあるときに、効率を改善することができる。電灯は、バッテリエネルギー貯蔵の全範囲において動作して、上で必要とされた明るさを提供することもできる。したがって、このシステムは、同じソーラパネルおよびバッテリを使用する場合であっても、暗い日が長く連続したときに、追加の照明持久力を提供することができる。言い換えると、本明細書で説明される実施形態は、電力消費を削減するときに経験される改善された効率のために、明るさの減少よりもはるかに速く電力消費の削減を行うことができる。したがって、既存のソーラパネルの１日分の再充電エネルギーは、同じソーラパネルおよびバッテリを用いたとしても、３日よりも長い間、低減された電力での動作を提供することができる。
【００５１】
したがって、本明細書で説明される実施形態による照明サブシステムは、電灯をサポートするバッテリに貯蔵された電気エネルギーの量に従って、その電力消費を変化させる。バッテリに貯蔵された残存エネルギーは、その端子電圧Ｖによって特徴付けることができるので、本発明は、（バッテリの端子電圧）Ｖの関数として、Ｐ＝Ｐ（Ｖ）となるように、照明電力を設計する。したがって、電灯は、バッテリの端子電圧がより低い場合には、より少ない電力を消費するように設計される。商用システムにおいて使用される現在のソーラパネルサイズが、この低減されたＤｘに対してＳａ＞３Ｄｘを満たすのに十分なＳａを提供できるように、バッテリエネルギーが低い貯蔵段階にある場合は、必要とされるＤｘは十分に低い。
【００５２】
必要とされる明るさを提供する能力を維持するために、照明サブシステムは、バッテリ貯蔵エネルギーが枯渇しつつあるときに、その効率を改善できるように設計される。言い換えると、バッテリに貯蔵された残存エネルギーが少ないほど、電灯によって消費されるそれは少なく、それでも、電灯は、バッテリエネルギーが枯渇しつつあるときにシステム効率を改善することによって、必要とされる照明の明るさを依存として提供する。これは、照明エネルギー消費の削減が、その結果の明るさの低減に応じて、それよりはるかに速いためである。
【００５３】
さらに、設計された照明サブシステムは、その電力消費を変化させることができるので、この設計は、バッテリが最大エネルギー貯蔵状態にある場合は（Ｂ＝Ｂｘ）、１日に充電されたエネルギーのすべてを電灯が消費するように（Ｄ（Ｖｘ）＞Ｓｘ）さらに設計され、したがって、（実施形態として示される）バッテリの過充電状態を防止する。本発明は、バッテリエネルギー貯蔵が枯渇状態に近い場合、ソーラパネルによって１日に充電されたエネルギーの４分の１よりも少ないエネルギーを電灯が消費するようにさらに設計される。完全な枯渇状態に近いほど、電灯は僅かしか消費せず、バッテリ枯渇状態では、ゼロエネルギー消費に近づくことによって（Ｄ（Ｖｎ）＜１ワット）、過放電状態を防止する。
【００５４】
したがって、上で説明された照明サブシステムの実施形態は、（１）実施形態に示されるように、晴れの日１日分の太陽光充電は、他のエネルギー入力なしに、３日よりも多くの夜間照明のために十分なエネルギーをバッテリに貯蔵することができ、（２）バッテリの過充電または過放電は、能動的な制御ボックスの介入なしに防止されるという、２つの利益を獲得することができる。その場合、実施形態は、コントローラが、バッテリの充電および放電のためのオン／オフ切り換え機能のみを実行することを可能にする。この切り換え機能は、１日のエネルギーのうちの僅かな量しか消費しない。
【００５５】
実施形態に示されるように、本発明を組み込むことによって、ＬＥＤ照明ユニットおよび関連する制御ユニットを置き換えた場合、商用システムは、最大バッテリ貯蔵容量から始めたときは、最初の３夜は、より明るい照明の明るさを提供することができる。その後、さらなる３夜は、都合６日連続してエネルギー入力がまったくなくても、それは、必要とされる明るさを上回る照明を依然として保つことができる。さらに、このシステムは、元のシステムよりも低コストである。
【００５６】
やはりシステムコストを商用太陽光発電街灯のそれよりも低く抑えながら、システム性能を最適化した場合、雨の日が９日よりも長く連続しても、新規に設計されたシステムは持続することができる。さらに、それは、最初の３夜は、商用ソーラパネルよりも明るい明るさを提供する。その後、暗い日がさらに６日連続した場合、システムは、光を消すことなく、前日の明るさの０．９倍を超える明るさを提供し続ける。さらに、このシステムは、１０日目に４時間の有効日照があるだけで、さらに３夜よりも長く照明を提供するまで回復する。
【００５７】
本明細書で説明される実施形態の一般的原理を説明したが、今から、図１から図５に関して、実施形態自体が説明される。
【００５８】
図１は、バッテリ１１０、ソーラパネル１２０、電灯１３０、およびコントローラ１４０などの、４つのサブシステムを含む、太陽光発電電灯システム１００を示している。太陽が発する光は、ソーラパネル１２０に入射する。ソーラパネル１２０は、単一のソーラパネル、またはソーラパネルのネットワークとすることができる。さらに、ソーラパネルは、現在存在するソーラパネルとすることができ、または将来開発されるソーラパネルとすることができる。それにも係らず、上で言及したように、既存のソーラパネルを使用したとしても、改善された性能が獲得され得る。ソーラパネル１２０は、入射した光の少なくとも一部を、ソーラパネルのタイプに応じて変化し得る特定の効率で、電気に変換する。
【００５９】
エネルギー収集伝送回路（energy collection routing circuit）１２１は、ソーラパネル１２０とバッテリ１１０が示されるように結合されている場合、ソーラパネル１２０からバッテリ１１０に電力を伝送するように構成される。このように、エネルギー収集伝送回路１２１は、晴れ状態のときに、バッテリを充電し、それによって、そのエネルギー貯蔵を増加させるために、電気をソーラパネル１２０からバッテリ１１０に導く。バッテリ１１０は、任意のタイプのバッテリとすることができるが、本明細書で説明される原理は、従来の太陽光電灯システムと同じバッテリを使用したとしても、改善された性能を可能にする。実際に、本明細書で説明される原理は、バッテリ１１０が、例えば、送電網によってサポートされる電源デバイスなど、任意の電気エネルギー源である場合にまで拡大され得る。その場合、太陽光発電電灯システム１００が、ソーラパネル１２０またはエネルギー収集伝送回路１２１を含む必要はない。したがって、電灯システムは、物理的な「バッテリ」をまったく有さないことがある。実際に、バッテリ１１０は、「電気エネルギー源」によって置き換えることができる。以降本明細書では、バッテリ１１０が説明されるが、バッテリ１１０は、そのような電気エネルギー源の一例にすぎない。
【００６０】
エネルギー消費伝送回路（energy consumption routing circuit）１２２は、バッテリ１１０と電灯１３０が示されるように結合されている場合、電力をバッテリ１１０（またはより広く「電気エネルギー源」）から電灯１３０に選択的に伝送するように構成される。このように、エネルギー消費伝送回路１２２は、暗い状態の間、電灯が電気を消費しているときに、電気をバッテリ１１０（またはより広く「電気エネルギー源」）から電灯１３０に導く。いくつかの実施形態では、電灯１３０は、１つもしくは複数の発光ダイオード（ＬＥＤ）から光を発することができ、および／または街路、道路、歩道、もしくは広場の高所に設置された街灯とすることができる。
【００６１】
コントローラ１４０は、明るい状態の間、電気をソーラパネル１２０からエネルギー収集伝送回路１２１を介してバッテリ１１０に選択的に導くように構成され、暗い状態の間、電気をバッテリ１１０から電灯１３０に導くように選択的に構成される。コントローラ１４０は、単純なオン−オフ切り換え機能を実行するので、きわめて単純にすることができる。したがって、コントローラによって消費される日々のエネルギーは、上で言及したように、きわめて低くすることができる。電気エネルギー源に応じて、（送電網の場合など）いくつかの場合では、そのような選択的な送りは必要ではない。
【００６２】
太陽光発電電灯システム１００は、エネルギー消費伝送回路１２２が、電力をバッテリ１１０（またはより広く「電気エネルギー源」）から電灯１３０に伝送するとき、太陽光発電電灯システム１００が、エネルギー消費伝送回路１２２を通して供給される電力の量を、バッテリ内の利用可能な電気エネルギーの残存量の関数として、下方に調整するように構成される。上で言及されたように、端子電圧Ｖは、バッテリ内の残存電気エネルギーの関数であるので、これは、端子電圧を使用して達成され得る。より一般的な電気エネルギー源の場合、これは、電気エネルギー源内の利用可能なエネルギーに関する任意のパラメータに基づいて行うことができる。さらに、上で言及されたように、電力消費のこの削減は、より低い電力消費における改善された効率のために、発光の減少に応じて、それよりも大きくすることができる。
【００６３】
いくつかの実施形態では、端子電圧（またはより一般的に、電気エネルギー源において利用可能なエネルギーもしくは電力）が低下した場合の電力消費の削減は、受動ネットワークを使用して達成され得る。例えば、受動ネットワーク１３１は、電灯内に含むことができ、ＬＥＤダイオードと、潜在的には抵抗も含むことができる。具体的な設計が、図５に関して説明される。しかし、本発明の原理は、そのような設計に限定されない。例えば、受動ネットワークは、受動ネットワークの入力における電圧が（より高いバッテリ端子電圧を反映して）より高い場合、受動ネットワークの入力における電圧がより低い場合と比べて、受動ネットワーク内のより多くのＬＥＤダイオードが能動的に発光するように、電圧降下を通して電流を流すことができる。したがって、端子電圧が低下した場合、受動ネットワーク内で発光するＬＥＤダイオードの数および強度も減少する。
【００６４】
本明細書で説明される原理は、電灯１３０によって消費される電力とバッテリ１１０の端子電圧との間の特定の関数関係に限定されない。それにも係らず、電力消費の削減が、あまり比例的でない発光の減少を引き起こす関係が定義された場合、それは最も有利である。
【００６５】
図２は、発光ダイオードと抵抗のネットワークを用いて作成される電灯の、電力消費と光度との間の関係についての近似的な表現のグラフ２００を示している。光度は、縦軸２０１に示され、電力は、横軸２０２に示される。関係は、抽象的な原理を示すにすぎない曲線２１０を用いて近似される。曲線の正確な形状は、電灯が構成されるＬＥＤのタイプと、電灯の設計にも応じて、特に、発光接合部の温度を決定する熱放散に応じて異なり得る。接合部温度は、光出力の量に決定的に影響することができ、したがって、熱放散能力は、ＬＥＤに入力される電力の関数としての光度の関数を決定的に決定する。
【００６６】
それにも係らず、各ＬＥＤ電灯は、電力がＬＥＤダイオードの閾値付近にあるか、または閾値を下回るかし、そのため、ダイオードから著しい発光を引き起こすには低すぎる、非活動領域２１１を有し、非活動領域２１１の一部は、非常に高い効率を提供することができるが、光度の量は大きくない。
【００６７】
各ＬＥＤ電灯は、ＬＥＤダイオードの閾値を上回り、電力の変化と光度の変化との間に近似的に直線的な関係を生じさせる、直線領域２１２も有する。この領域は、ほぼ一定の効率を維持し、光度の量はかなりある。
【００６８】
各ＬＥＤ電灯は、電力の増加が、あまり比例的でない光度の増加を引き起こす、飽和領域２１３も有する。言い換えると、飽和領域２１３では、電力の減少が、あまり比例的でない光度の減少を引き起こす。ほとんどのＬＥＤライトが動作するのは飽和領域においてである。したがって、電灯に提供される電力の（おそらくは量２２１から量２２２への）減少は、示されるように、（量２３１から量２３２への）あまり比例的でない光度の減少を引き起こす。別の重要なパラメータが、図２には示されている。光度の最小必要量が、直線２３３として示され、対応する電力が、直線２２３として示されている。この直線２２３は、直線領域２１２として定義された領域内に含まれることができる。したがって、電灯は、指定された光度レベルよりも大量に提供するために、２１２ａよりも上の領域で動作するように設計される。実際に、飽和領域２１３に対応する電圧（例えば、１２．３から１３．５ボルト）は、設計された動作電力領域（２１２ｂより上の領域）の大部分と一致する。我々の設計では、設計された動作領域に対応するバッテリ電圧範囲は、１１．５から１３．５ボルトである。言い換えると、設計された電灯のＩ−Ｖ特性は、この要件に一致するように成形される。
【００６９】
電灯に供給される電力と端子電圧との間の関数関係に限定はない。しかし、図３は、関数３０１がステップ関数である関数のグラフ３００を示している。図４は、関数４０１が連続関数である関数のグラフ４００を示している。実際の関数は、ステップ関数と連続関数の組み合わせとすることができる。
【００７０】
図５は、図１の受動ネットワーク１３１として使用され得る、受動ネットワーク５００を示している。受動ネットワーク５００は、ＬＥＤダイオードと抵抗の組み合わせを含む、複数の受動構成要素を含む。図５に示されるように、照明組立体は、（ＬＤ１からＬＤ２４のラベルが付された）２４個のＬＥＤから成り、それらは、ネットワーク接続されて、２つのグループに分かれ、各グループは、バッテリ単位Ｖ＋とＶ−の間に並列で結合される。
【００７１】
ＬＥＤグループの一方は、４つのＬＥＤサブグループの直列接続から成る。各ＬＥＤサブグループは、並列接続された異なる数のＬＥＤから成る。例えば、１つのＬＥＤグループは、直列の４つのサブグループから成り、第１のＬＥＤサブグループは、４つの並列のＬＥＤ  ＬＤ３からＬＤ６から成り、第２のＬＥＤサブグループは、３つの並列のＬＥＤ  ＬＤ１０からＬＤ１２から成り、第３のＬＥＤサブグループは、３つの並列のＬＥＤ  ＬＤ１６からＬＤ１８から成り、第４のＬＥＤサブグループは、４つの並列のＬＥＤ  ＬＤ２１からＬＤ２４から成る。他方のＬＥＤグループも、並列の異なる数のＬＥＤから成る、ＬＥＤの４つのサブグループの直列接続から成る。例えば、この他方のＬＥＤグループは、直列の４つのサブグループから成り、第１のＬＥＤサブグループは、２つの並列のＬＥＤ  ＬＤ１からＬＤ２から成り、第２のＬＥＤサブグループは、３つの並列のＬＥＤ  ＬＤ７からＬＤ９から成り、第３のＬＥＤサブグループは、３つの並列のＬＥＤ  ＬＤ１３からＬＤ１５から成り、第４のＬＥＤサブグループは、２つの並列のＬＥＤ  ＬＤ１９からＬＤ２０から成る。第１のＬＥＤグループ内のＬＥＤ  ＬＤ３からＬＤ６の第１のサブグループは、１６個の抵抗Ｒ１からＲ１６にも並列に結合され、ＬＥＤ  ＬＤ２１からＬＤ２４の第４のサブグループは、１６個の抵抗Ｒ１７からＲ３２にも並列に結合されることに留意されたい。
【００７２】
ＬＥＤのこのネットワークは、電圧で決定される可変抵抗のネットワークと見なすことができ、したがって、ネットワークは、端子電圧が異なる場合、異なる電流を流す。端子電圧が小さいほど、このネットワーク内の電流は小さい。したがって、端子電圧が小さいほど、ネットワークによって消費される電力の量は小さい。
【００７３】
表１は、以下のように端子電圧が１３．５ボルトから１０．５ボルトの範囲にわたる場合の、この組立体（ネットワーク）の測定された電力消費を記載している。
【００７４】
【表１】
2015505125.tif 000003
【００７５】
示されるように、電力消費は、１３．５ボルトにおける４０．２ワットから１１．５ボルトにおける６．６７ワットまで（約６分の１に）単調に減少した。
【００７６】
もちろん、この組立体（ＬＥＤネットワーク）の光出力も、流れる電流とともに変化する。流れる電流が小さいほど、発生させ得る光出力は小さい。言い換えると、このＬＥＤネットワークによって消費される電力が小さいほど、ＬＥＤネットワークが提供する光出力は小さい。商用で指定された最小光出力要件を課す場合、Ｌｍ＞１５００ｌｍであり、我々は、照明を提供するために、３つの並列の組立体を使用することを意図している。各組立体に対する光出力要件は、５００ｌｍを上回ることが必要である。
【００７７】
表１に示されるように、測定された光出力は、（１３．５ボルトにおける）電力消費が４０．２ワットの場合の２３３１．６ルーメンから、（１１．５ボルトにおける）電力消費が６．６７ワットの場合の５８０．７ルーメンまで単調に減少した。これから、この３つの組立体を組み合わせた電灯の光出力は、１３．５ボルトにおいては、６９９４．８ｌｍよりも大量に放射し、バッテリ端子電圧が１１．５ボルトを上回る場合は、（１５００ｌｍよりも大きいという照明要件を満たす）１７４０ｌｍよりも大量に放射することを期待することができる。
【００７８】
組み合わせて２２０Ａｈｒのエネルギー貯蔵容量を与えるために、購入した２つの１１０Ａｈｒのバッテリを使用して、エネルギー貯蔵を決定するための測定を実行した。Ｖ＝１０．５から１１．５ボルトでは、約５０Ａｈｒであり、１０．５から１３．５ボルトでも、約２２５Ａｈｒであることが決定された。したがって、２２０Ａｈｒのバッテリを１３．５ボルトから１１．５ボルトまで放電することから得られるエネルギー出力は、１７０Ａｈｒよりも大きいエネルギーであり、バッテリエネルギー容量の（２２０−５０）／２２０＝７７．２７％よりも大きい。
【００７９】
放電時間も測定された。実行された測定は、上で設計された照明要素の３つのユニットからなる電灯を使用する。この電灯は、２２０Ａｈｒのバッテリを１３．５ボルトから１１．５ボルトまで放電し、その後、１０．５ボルトまで放電する。測定結果は、１３．５ボルトから１１．５ボルトまでの実験を達成するために、７５時間よりも長い放電時間を要することを示している。したがって、我々は、電灯が、（１夜当たり１２時間の照明として）６夜よりも長く、必要とされる光出力を超えるものを提供できることを期待する。１１．５ボルト未満から１０．５ボルトの残存エネルギーは、さらに３８時間よりも長く、減少した光出力を依然として提供することができる。
【００８０】
したがって、エネルギー入力がなくても、測定された照明時間を組み合わせると、９夜（１２時間／夜）を超えることができる。システムは、要求されるレベルを上回る６夜よりも長い照明を提供することができ、最後には、低減された照明レベルで、さらに３夜よりも長く提供することができる。また、（１０日目に４時間の有効日照が得られる）標準的な晴れの日が１日あると、システムのエネルギー貯蔵を、少なくとも３夜の照明を提供するまで回復させることができる。
【００８１】
計算してみると、この組立体（ＬＥＤネットワーク）の効率は、１３．５ボルトにおける５８ルーメン毎ワットから、１１．５ボルトにおける８７ルーメン毎ワット超まで単調に増加した。計算された効率の値は、表に示されるように、１０．５ボルトでは９９．２ルーメン毎ワットまで増加した。
【００８２】
本発明は、その主旨または必須の特徴から逸脱することなく、他の特定の形態で具体化され得る。説明された実施形態は、すべての点で、説明的なものにすぎず、限定的なものではないと見なされるべきである。したがって、本発明の範囲は、上述の説明によってではなく、添付の特許請求の範囲によって示される。特許請求の範囲の均等物の意味および範囲内に入るすべての変更は、それらの範囲内に包含されるものとする。
【符号の説明】
【００８３】
１００  太陽光発電電灯システム
１１０  バッテリ
１２０  ソーラパネル
１２１  エネルギー収集伝送回路
１２２  エネルギー消費伝送回路
１３０  電灯
１３１、５００  受動ネットワーク
１４０  コントローラ
２００  グラフ
２０１  縦軸
２０２  横軸
２１０  曲線
２１１  非活動領域
２１２  直線領域
２１３  飽和領域
２２３、２３３  直線
３００、４００  グラフ
３０１、４０１  関数
ＬＤ１〜ＬＤ２４  ＬＥＤ
Ｒ１〜Ｒ３２  抵抗
【図１】
2015505125.tif 000004
【図２】
2015505125.tif 000005
【図３】
2015505125.tif 000006
【図４】
2015505125.tif 000007
【図５】
2015505125.tif 000008
【国際調査報告】
2015505125.tif 000009